(57)【要約】      （修正有）【課題】送信帯域幅の要求されるパートに柔軟にチューニングすることが可能であり、コストが低い送信装置及び信号構造を提供する。【解決手段】フレームの中の少なくとも２つの情報伝達パターンの夫々に情報伝達データ及びパイロット信号を配列するように構成され、夫々の情報伝達パターンが同じ長さを有するようにしてフレームの中の少なくとも１つのデータパターンを配列するように構成されるフレーム形成手段と、時間領域送信信号を生成するために、前記情報伝達パターン及び前記データパターンを周波数領域から前記時間領域に変換するように構成される変換手段と、前記時間領域送信信号を送信するように構成される送信手段と、を備え、夫々のフレームが、周波数方向に互いに隣接した前記少なくとも２つの情報伝達パターン及び前記少なくとも１つのデータパターンを含み、フレーム構造に基づいてマルチ搬送システムで信号を送信するための送信装置に関する。【選択図】図１４
2010045788.tif 000002
【特許請求の範囲】
【請求項１】
フレームの中の少なくとも２つの情報伝達パターンの夫々に情報伝達データ及びパイロット信号を配列するように構成され、夫々の情報伝達パターンが同じ長さを有するようにして、フレームの中の少なくとも１つのデータパターンを配列するように構成されるフレーム形成手段と、
時間領域送信信号を生成するために、前記情報伝達パターン及び前記データパターンを周波数領域から前記時間領域に変換するように構成される変換手段と、
前記時間領域送信信号を送信するように構成される送信手段と、
を備え、
夫々のフレームが、周波数方向で互いに隣接した前記少なくとも２つの情報伝達パターン及び前記少なくとも１つのデータパターンを含み、
フレーム構造に基づいてマルチ搬送システムで信号を送信するための、送信装置。
【請求項２】
フレームの中の前記少なくとも２つの情報伝達パターンに配列された前記パイロット信号が、パイロット信号列を形成する、請求項１に記載の送信装置。
【請求項３】
前記少なくとも２つの情報伝達パターンの夫々にある前記パイロット信号が、パイロット信号列を形成する、請求項１に記載の送信装置。
【請求項４】
前記パイロット信号は、疑似ランダム２進数列で変調される、請求項１〜３に記載の送信装置。
【請求項５】
前記フレーム形成手段は、微分変調方式で前記少なくとも２つの情報伝達パターンの前記パイロット信号を配列するように構成される、請求項１〜４のいずれか１項に記載の送信装置。
【請求項６】
前記フレーム形成手段は、パイロット信号が前記変換手段により前記少なくとも２つの情報伝達パターンの全てのｍ番目の周波数搬送波上にマッピングされるように前記パイロット信号を配列するように構成され、
ｍは、１より大きい整数である、請求項１〜５のいずれか１項に記載の送信装置。
【請求項７】
前記少なくとも２つの情報伝達パターンの夫々が、少なくとも１のパイロットバンドを含み、
前記パイロット信号は、前記少なくとも１つのパイロットバンドに配列される、請求項１〜６のいずれか１項に記載の送信装置。
【請求項８】
フレームの中の少なくとも２つの信号のパターンの夫々にデータ及びパイロット信号を配列して、夫々の情報伝達パターンが同じ長さを有するようにして、フレームの中の少なくとも１つのデータパターンを配列するステップと、
時間領域送信信号を生成するために、前記情報伝達パターン及び前記データパターンを周波数領域から前記時間領域に変換するステップと、
前記時間領域送信信号を送信するステップと、
を含み、
夫々のフレームが、周波数方向に互いに隣接した前記少なくとも２つの情報伝達パターン及び前記少なくとも１つのデータパターンを含み、
フレーム構造に基づいてマルチ搬送システムで信号を送信するための、送信方法。
【請求項９】
周波数方向に互いに隣接した少なくとも２つの情報伝達パターン及び少なくとも１つのデータパターンを含み、
情報伝達データ及びパイロット信号が、フレームの中の少なくとも２つの情報伝達パターンの夫々に配列され、
夫々の情報伝達パターンが同じ長さを有し、
データがフレームの中の少なくとも１つのデータパターンに配列される、マルチ搬送システムのためのフレームパターン。
【請求項１０】
少なくとも１つの情報伝達パターンの長さを有し、受信される少なくとも１つのデータパターンをカバーする送信帯域幅の選択されたパートに調整され、且つ前記送信帯域幅の選択されるパートを受信するように構成される受信手段と、
受信される情報伝達パターンに含まれるパイロット信号に基づいて、周波数オフセットを検出するように構成される周波数オフセット検出手段と、
を備え、
夫々のフレームが、周波数方向に互いに隣接した、情報伝達データ及びパイロット信号を有する少なくとも２つの情報伝達パターンと、データを有する少なくとも１つのデータパターンと、を含み、
前記同じ少なくとも２つの情報伝達パターンの夫々は同じ長さを有し、
フレーム構造に基づいてマルチ搬送システムで信号を受信するための、受信装置。
【請求項１１】
前記周波数オフセット検出手段は、
受信される情報伝達パターンに含まれるパイロット信号の相関を実行するように構成される相関手段を備える、請求項１０に記載の受信装置。
【請求項１２】
フレームの前記少なくとも２つの情報伝達パターンの中の前記パイロット信号は、前記パイロット信号列を形成して、
前記パイロット信号列は、前記受信装置に備えられる記憶手段に記憶され、前記相関を実現するために前記相関手段によって利用される、請求項１１に記載の受信装置。
【請求項１３】
前記相関手段は、前記送信帯域幅の前記選択されるパートに対応する前記記憶手段に記憶される前記パイロット信号列の一パートに基づいて前記相関を実行するように構成される、請求項１２に記載の受信装置。
【請求項１４】
前記少なくとも２つの情報伝達パターン夫々の前記パイロット信号は、パイロット信号列を形成して、
前記周波数オフセット検出手段は、前記パイロット信号列を演算するように構成される演算手段を備え、
前記パイロット信号列は、前記相関を実行するために前記相関手段によって利用される、請求項１１に記載の受信装置。
【請求項１５】
パイロット信号は、少なくとも２つの信号の全てのｍ番目の周波数搬送波上にマッピングされ、
ｍは、１より大きい整数であって、
前記周波数オフセット検出手段は、前記パイロット信号に基づいて周波数オフセットを検出するように構成される、請求項１０〜１４のいずれか１項に記載の受信装置。
【請求項１６】
前記少なくとも２つの信号を発生するパターンは、少なくとも１つのパイロットバンドを含み、
前記周波数オフセット検出手段は、前記パイロット信号に基づいて周波数オフセットを検出するように構成される時間同期手段を備える、請求項１０〜１５のいずれか１項に記載の受信装置。
【請求項１７】
ガードインターバル相関に基づいて、時間同期を実行するように構成される時間同期手段を備える、請求項１０〜１６のいずれかに記載の受信装置。
【請求項１８】
ガードインターバル相関に基づいて、パート周波数オフセット検出を実行するように構成される周波数オフセット検出手段を更に備える、請求項１０〜１７のいずれか１項に記載の受信装置。
【請求項１９】
少なくとも１つの情報伝達パターンの長さを有し、受信される少なくとも１つのデータパターンをカバーする送信帯域幅の選択されたパートに調整され、且つ前記送信帯域幅の選択されるパートを受信するステップと、
受信される情報伝達パターンに含まれるパイロット信号に基づいて、周波数オフセットを検出するステップと、
を含み、
夫々のフレームが、周波数方向に互いに隣接した、情報伝達データ及びパイロット信号を有する少なくとも２つの情報伝達パターンと、データを有する少なくとも１つのデータパターンと、を含み、
前記同じ少なくとも２つの情報伝達パターンの夫々は同じ長さを有し、
フレーム構造に基づいてマルチ搬送システムで信号を受信するための、受信方法。
【請求項２０】
夫々の情報伝達パターンが同じパターンを有しており、フレームに前記少なくとも２つの情報伝達パターンに信号を発するデータ及びパイロット信号を配列して、フレームに１つのデータパターンを配列するように構成されるフレーム形成手段、
時間領域送信信号を発生するために、前記周波領域から時間領域に前記情報伝達パターン及び前記データパターンを変換するように構成される変換手段、
及び
前記時間領域送信信号を送信するように構成される送信手段を含み、
夫々のフレームが周波方向に互いに隣接した少なくとも２つの情報伝達パターン及び少なくとも１つのデータパターンを含み、フレーム構造に基づいてマルチ搬送システムの信号を受信するための送信装置を備え、
前記送信装置から前記時間領域送信信号を受信するように構成される請求項１０〜１８のいずれか１項に記載の受信装置を更に備える、信号を送信及び受信するためのシステム。
【請求項２１】
夫々の情報伝達パターンが同じパターンを有しており、フレームに前記少なくとも２つの情報伝達パターンに信号を発するデータ及びパイロット信号を配列して、フレームに１つのデータパターンを配列するステップ、
時間領域送信信号を発生するために、前記周波領域から時間領域に前記情報伝達パターン及び前記データパターンを変換するように構成される変換するステップ、
及び
前記時間領域送信信号を送信するように構成される送信するステップを含み、
夫々のフレームが周波方向に互いに隣接した少なくとも２つの情報伝達パターン及び少なくとも１つのデータパターンを含み、フレーム構造に基づいて複数の搬送システムの信号を受信するための送信方法を含み、
前記時間領域送信信号を受信するように構成される請求項１９に記載の受信方法を更に含む、信号を送信及び受信するための方法。
【発明の詳細な説明】
【技術分野】
【０００１】
本発明は、マルチ搬送システムのための新規なフレーム及び情報伝達パターンに関する。
【背景技術】
【０００２】
近年、マルチ搬送システムが、有線又は無線（例えば、ケーブル、地上波等）のデジタルビデオ放送システムのような一方向又は双方向の放送システム等として普及している。
【発明の概要】
【０００３】
本発明では、本明細書において、コンテンツデータ、情報伝達データ、パイロット信号等が多数の周波数搬送波にマッピングされ（ｍａｐｐｅｄ）、次いで、与えられる全体又は完全な送信帯域幅で送信される、例えば、ケーブル放送システム又は地上波放送システムのような、放送システムが主に対象にされている（しかし限定はされない）。必要な又は夫々の受信部によって必要とされるコンテンツデータのみを受信するために、典型的に、受信部は完全なチャネル帯域幅（しばしば、セグメント受信（ｓｅｇｍｅｎｔｅｄ  ｒｅｃｅｐｔｉｏｎ）と呼ばれる）から、パーシャル通信路（全体の送信帯域幅のパート）にチューニングする。例えば、ＩＳＤＢ−Ｔスタンダード（ＩＳＤＢ−Ｔ  Ｓｔａｎｄａｒｄ）では、全体のチャネル帯域幅が、等しい長さ（等しい周波搬送の数）の１３の固定されたセグメントに分割される。
【０００４】
本発明の目的は、送信帯域幅の要求されるパートに柔軟にチューニングすることが可能であり、コストが低い送信装置、方法、及び複数の搬送システムのための信号構造を提供することにある。
【０００５】
上記目的は、請求項１に係る送信装置によって実現される。本発明の送信装置は、フレームの中の少なくとも２つの情報伝達パターンの夫々に情報伝達データ及びパイロット信号を配列するように構成され、夫々の情報伝達パターンが同じ長さを有するようにして、フレームの中の少なくとも１つのデータパターンを配列するように構成されるフレーム形成手段と、時間領域送信信号を生成するために、前記情報伝達パターン及び前記データパターンを周波数領域から前記時間領域に変換するように構成される変換手段と、前記時間領域送信信号を送信するように構成される送信手段と、を備え、夫々のフレームが、周波数方向に互いに隣接した前記少なくとも２つの情報伝達パターン及び前記少なくとも１つのデータパターンを含み、フレーム構造に基づいてマルチ搬送システムで信号を送信するように構成される。
【０００６】
上記目的は、更に請求項８に係る送信方法によって実現される。本発明の送信方法は、フレームの中の少なくとも２つの信号のパターンの夫々にデータ及びパイロット信号を配列して、夫々の情報伝達パターンが同じ長さを有するようにして、フレームの中の少なくとも１つのデータパターンを配列するステップと、時間領域送信信号を生成するために、前記情報伝達パターン及び前記データパターンを周波数領域から前記時間領域に変換するステップと、前記時間領域送信信号を送信するステップと、を含み、夫々のフレームが、周波数方向に互いに隣接した前記少なくとも２つの情報伝達パターン及び前記少なくとも１つのデータパターンを含み、フレーム構造に基づいてマルチ搬送システムで信号を送信するように構成される。
【０００７】
上記課題は、更に請求項９に係るマルチ搬送システムのためのフレームパターンによって実現され、周波数方向に互いに隣接した少なくとも２つの情報伝達パターン及び少なくとも１つのデータパターンを含み、情報伝達データ及びパイロット信号が、フレームの中の少なくとも２つの情報伝達パターンの夫々に配列され、夫々の情報伝達パターンが同じ長さを有し、データがフレームの中の少なくとも１つのデータパターンに配列される。
【０００８】
本発明の目的は、更に、送信帯域幅の要求されるパートに柔軟に合わせることが可能であり、コストが低い、受信装置、方法、及び信号を送信及び受信するためのシステム及び方法を提供することにある。
【０００９】
上記目的は、請求項１０に係る受信装置によって実現される。本発明に係る受信装置は、少なくとも１つの情報伝達パターンの長さを有し、受信される少なくとも１つのデータパターンをカバーする送信帯域幅の選択されたパートに調整され、且つ前記送信帯域幅の選択されるパートを受信するように構成される受信手段と、受信される情報伝達パターンに含まれるパイロット信号に基づいて、周波数オフセットを検出するように構成される周波数オフセット検出手段と、を備え、夫々のフレームが、周波数方向に互いに隣接した、情報伝達データ及びパイロット信号を有する少なくとも２つの情報伝達パターンと、データを有する少なくとも１つのデータパターンと、を含み、前記少なくとも２つの情報伝達パターンの夫々は同じ長さを有し、フレーム構造に基づいてマルチ搬送システムで信号を受信するように構成される。
【００１０】
上記目的は、更に請求項１９に係る受信方法によって実現される。本発明の受信方法は、少なくとも１つの情報伝達パターンの長さを有し、受信される少なくとも１つのデータパターンをカバーする送信帯域幅の選択されたパートに調整され、且つ前記送信帯域幅の選択されるパートを受信するステップと、受信される情報伝達パターンに含まれるパイロット信号に基づいて、周波数オフセットを検出するステップと、を含み、夫々のフレームが、周波数方向で互いに隣接した、情報伝達データ及びパイロット信号を有する少なくとも２つの情報伝達パターンと、データを有する少なくとも１つのデータパターンと、を含み、前記同じ少なくとも２つの情報伝達パターンの夫々は同じ長さを有し、フレーム構造に基づいてマルチ搬送システムで信号を受信するように構成される。
【００１１】
上記目的は、請求項２０に係る、信号を送信及び受信するためのシステムによって実現され、夫々の情報伝達パターンが同じパターンを有しており、フレームに前記少なくとも２つの情報伝達パターンに情報伝達データ及びパイロット信号を配列して、フレームに１つのデータパターンを配列するように構成されるフレーム形成手段、時間領域送信信号を生成するために、前記周波数領域から時間領域に前記情報伝達パターン及び前記データパターンを変換するように構成される変換手段、及び前記時間領域送信信号を送信するように構成される送信手段を含み、夫々のフレームが周波数方向に互いに隣接した少なくとも２つの情報伝達パターン及び少なくとも１つのデータパターンを含み、フレーム構造に基づいてマルチ搬送システムの信号を送信するための送信装置を備え、前記送信装置から前記時間領域送信信号を受信するように構成される本発明に係る受信装置を更に備える。
【００１２】
上記目的は、更に請求項２１に係る、信号を送信及び受信するための方法によって実現され、夫々の情報伝達パターンが同じパターンを有しており、フレームに前記少なくとも２つの情報伝達パターンに信号を発するデータ及びパイロット信号を配列して、フレームに１つのデータパターンを配列するステップ、時間領域送信信号を生成するために、前記周波数領域から時間領域に前記情報伝達パターン及び前記データパターンを変換するように構成される変換するステップ、及び前記時間領域送信信号を送信するように構成される送信するステップを含み、夫々のフレームが周波数方向に互いに隣接した少なくとも２つの情報伝達パターン及び少なくとも１つのデータパターンを含み、フレーム構造に基づいてマルチ搬送システムの信号を受信するための送信方法を含み、前記時間領域送信信号を受信するように構成され、本発明に係る受信方法を更に含む。
【００１３】
更に有利な特徴は、従属した請求項で定義される。
【００１４】
従って、本発明は、周波数領域及び時間領域にフレーム構造又はフレームパターンを利用するマルチ搬送システムを提案する。周波数領域では、夫々のフレームは少なくとも２つの情報伝達パターンを含み、夫々が情報伝達データ及びパイロット信号を含み、夫々が同じ長さ（又は、帯域幅）を有する。時間領域への変換後、結果的にもたらされる時間領域信号では、夫々のフレームは次いで、１つ（又はそれ以上）の情報伝達シンボル及びデータシンボルを含む。夫々のフレームパターンは、全て（ｅｎｔｉｒｅ）又は全体にわたる（ｏｖｅｒａｌｌ）送信帯域幅を覆い、全体の送信帯域幅は、それ故、夫々同じ長さを有する情報伝達パターンによって均等に分割される。次いで、夫々のフレームのデータパターンは、時間の情報伝達パターンに従う。受信装置が調整される送信帯域幅のパートが、少なくとも情報伝達パターンの１つの長さを有するのであれば、受信装置は、自由に、柔軟に、且つ速やかに、要求される送信帯域幅のパートにチューニングされる。本明細書において、受信装置は、随時、全体の情報伝達パターンの情報伝達データを受信することができ、続いて起こるデータパターンの受信のために必要な物理層情報を含む情報伝達データに基づき、且つ続いて起こるデータパターンの受信のために必要な物理層情報を含む情報伝達データを利用しながら、データパターンが受信装置で受信される。更に、夫々の情報伝達パターンは、情報伝達データのみならず、周波数搬送波にマップされるパイロット信号を含むので、情報伝達パターンに含まれるパイロット信号が必要な周波数オフセット検出及び補償を可能にして、専用のプレアンブル又はパイロット信号を有するシステムに比べて全体のコストが低いということから、専用のプレアンブル又はパイロット信号のみから成るトレーニングパターンを準備する必要がない。本発明では、特に、かなり高いＳＮ比（ｓｉｇｎａｌ−ｔｏ−ｎｏｉｓｅ  ｒａｔｉｏ）を有するが、ケーブルシステムに限定されないようなシステムである点において有利である。受信部は、送信帯域幅の要求されるパートに柔軟に調整されるが、本発明によって提案される新規のフレーム構造によれば、全体の情報伝達パターンを随時受信することが可能である。更に、当該新規のフレーム構造によれば、受信装置の送信帯域幅の要求されるパートに迅速にチューニングすることが可能である。
【００１５】
有利なことに、フレームの上記少なくとも２つの情報伝達パターンの周波数搬送波上にマッピングされる上記パイロット信号は、パイロット信号列を形成する。すなわち、フレームの全てのパイロット信号は、パイロット信号列を形成する。
【００１６】
代わりに、上記少なくとも２つの情報伝達パターンのいずれか１つの上記パイロット信号は、パイロット信号列を形成し、パイロット信号列は互いに異なる。
【００１７】
有利なことに、上記パイロット信号は、疑似ランダム２進数列で変調される。
【００１８】
有利なことに、上記送信装置の上記フレーム形成手段は、差分変調方式で上記少なくとも２つの情報伝達パターンに上記パイロット信号を配列するように構成される。
【００１９】
有利なことに、上記送信装置の上記フレーム形成手段は、上記パイロット信号を配列するように構成され、パイロット信号は、上記送信装置の変換手段によって、少なくとも２つの情報伝達パターンの全てのｍ番目の周波数搬送波上にマップされ、ｍは、１より大きい整数である。
【００２０】
有利なことに、上記少なくとも２つの情報伝達パターンは、少なくとも１つのパイロットバンドを含み、上記パイロットは、少なくとも１つのパイロットバンドに配列される。
【００２１】
有利なことに、上記受信装置の上記周波オフセット検出手段は、受信される情報伝達パターンに含まれるパイロット信号との相関を実行するように構成される相関手段を備える。第１の有利な側面によれば、フレームの上記少なくとも２つの情報伝達パターンに配列される上記パイロット信号はパイロット信号列を形成し、上記パイロット信号列は、上記受信装置に備えられる記憶手段に記憶され、上記パイロット信号列は、上記相関を実行する上記相関手段によって利用される。本明細書において、上記受信装置の上記相関手段は、有利なことに、上記送信帯域幅の上記選択されたパートに対応する上記記憶手段に記憶される上記パイロット信号列のパートに基づいて上記相関を実行するように構成される。代わりに、既知のパイロット信号列は対応する生成手段の受信装置で生成される。第２の有利な側面によれば、上記少なくとも２つの情報伝達パターンのいずれか１つにある上記パイロット信号は、パイロット信号列を形成し、上記周波数オフセット検出手段は、上記相関関係を実現する上記相互に関係付ける手段によって利用される上記パイロット信号列を演算するように構成される演算手段を備える。
【００２２】
有利なことに、パイロット信号は、上記少なくとも２つの情報伝達パターンの全てのｍ番目の周波数搬送波上にマッピングされ、ｍは１より大きい整数であり、上記周波数オフセット検出手段は、上記パイロット信号に基づいて周波数オフセットを検出するように構成される。
【００２３】
更に有利なことに、上記少なくとも２つの情報伝達パターンの夫々は、上記パイロット信号を含む少なくとも１つのパイロットバンドを含み、上記受信装置の上記周波数オフセット検出手段は、上記パイロット信号に基づいて、周波数オフセットを検出するように構成される。
【００２４】
更に有利なことに、上記受信装置は、ガードインターバル相関関係に基づいて時間同期を実現する時間同期手段を備える。
【００２５】
更に有利なことに、上記受信装置は、ガードインターバル相関関係に基づいて部分的な周波数オフセット検出を実行するように構成される周波数オフセット検出手段を更に備える。
【００２６】
有利なことに、受信装置は、上記送信帯域幅の上記受信された選択されたパートから元の情報伝達パターンを復元するように構成される復元手段を備える。本明細書において、受信手段がチューニングされる上記送信帯域幅の選択されるパートが情報伝達パターン構造に適合しない場合、上記復元手段は、受信される情報伝達信号を元の情報伝達信号に再配列するように構成されていてもよい。このように、受信部が調整される送信帯域幅の選択されるパートが、完全及び正確に（周波数方向に）情報伝達パターンの１つと適合しないとしても、このような場合に受信部は、周波数のよく考えられた（ｆｒｅｑｕｅｎｃｙ  ｗｉｓｅ）先に起こる情報伝達パターンの最後のパート及び周波数のよく考えられた（ｆｒｅｑｕｅｎｃｙ  ｗｉｓｅ）続いて起こる情報伝達パターンの最初のパートを受信する。例えば、受信装置が、夫々のフレームに情報伝達パターン構造からその周波数の賢明な（ｆｒｅｑｕｅｎｃｙ  ｗｉｓｅ）オフセットを知る場合に、上記復元手段は、元の情報伝達パターンに受信される情報伝達信号を再配列されるように構成されていてもよい。代わりに、夫々のフレームは、時間領域の上記少なくとも２つの情報伝達パターンより先に起こる少なくとも２つの付加的な情報伝達パターンを含み、上記付加的な情報伝達パターンの夫々は、前記少なくとも２つの先に起こる情報伝達パターンの前記対応する１つと同じ長さを有し、上記復元手段は、時間領域で互いに続いて起こる受信された２又はそれ以上の情報伝達パターンを元の情報伝達パターンに再配列するように構成される。このように、周波数領域の情報伝達パターンの長さが、全ての必要な情報伝達データが１つの情報伝達パターンに含まれる場合より短くても、先に起こる情報伝達パターン及び続いて起こる情報伝達パターンは、共に必要な情報伝達データを含むことができる。
【００２７】
代わりに又は付加的に、情報伝達パターンの情報伝達データは、エラー検出及び／又は訂正符号を含み、元の情報伝達パターンを復元するために、上記受信装置の上記復元手段は、上記受信した情報伝達信号にエラー検出及び／又は訂正復号を実行するように構成される。
【００２８】
本明細書において、送信される情報伝達パターンは、付加的なエラーコーディング、冗長、又はそれらに類似するものを含み、情報伝達パターンの１パートのみが受信されたとしても、受信部に元の情報伝達パターンを復元させることができる。
【００２９】
有利なことに、夫々のフレームの夫々の情報伝達パターンは、フレーム内の情報伝達パターンの位置を含み、受信側で抽出及び評価される。この場合、更に有利なことに、夫々のフレームの夫々の情報伝達パターンは、フレームの情報伝達パターンの少なくともいくつかで異なるフレームの夫々の情報伝達パターンの位置を除いて個々の情報伝達データを含むことができる。本明細書において、受信装置は、例えば、初期時間の間における（夫々のフレームの）全体の送信帯域幅内のその位置を決定することができ、受信装置は、フレーム内の任意の位置にチューニングされ、次いで、受信された情報伝達パターンの情報伝達データに基づいて、要求されるデータの受信を可能にする帯域幅にチューニングされる。代わりに、位置情報を、情報伝達パターンに含まれるパイロット信号で符号化することができる。有利なことに、夫々のフレームの情報伝達パターンは、フレームに含まれるデータパターンの数を有する情報伝達データを含み、上記受信装置の上記評価手段は、受信される情報伝達パターンからのデータパターンの数を有する上記情報伝達データを抽出するように構成される。更に有利なことに、夫々のフレームの情報伝達パターンは、フレームに含まれる夫々のデータパターンを有する個々の情報伝達データを含み、上記評価手段は、受信される情報伝達パターンからの夫々のデータパターンを有する上記個々の情報伝達データを抽出するように構成される。
【００３０】
有利なことに、受信部は、上記送信帯域幅の選択されるパートに調整され、上記送信帯域幅の選択されるパートを受信するように構成され、送信帯域幅の選択されるパートでの情報伝達パターンの最適化された受信が可能となる。特に、フレーム内のデータ及び情報伝達パターンの周波数の次元構造が適合せず、受信部に受信される送信帯域幅の選択されるパートが、受信されるデータパターンよりも（周波次元で）大きいならば、チューニングを最適化することは可能であってもよく、例えば、全体の要求されるデータパターンを受信している間に、全体の情報伝達パターンの最大のパートが受信されるようにチューニングを行うことによって、情報伝達パターンの最良な受信が実現される。
【００３１】
一般的に、送信帯域幅の選択されるパートが受信され、受信される少なくとも１つのデータパターンが送信帯域幅の選択されるパートに関連して中央に置かれるように、受信部をチューニングすることは有利なことである。
【００３２】
更に有利なことに、受信部は、過去のフレームの情報伝達パターンで受信される情報伝達情報に基づいて上記送信帯域幅の選択されるパートを受信するように構成される。
【００３３】
更に有利なことに、夫々のフレームは、時間次元での上記少なくともデータパターンより先に起こる少なくとも１つの付加的なデータパターンを含み、上記付加的なデータパターンの夫々は、対応する１つの上記過去の少なくとも１つのデータパターンと同じ長さを有する。すなわち、有利なことに、少なくとも１つのデータ構造が、全体の送信帯域幅がカバーされるように、少なくとも１つのデータパターンが周波数次元で配列される方式で、夫々のフレームでのデータパターンの構造が設置される。次いで、少なくとも１つの付加的なデータパターンが、同じフレームで配列されるが、少なくとも１つのデータパターンを時間方向で追従して、付加的又は追従するデータの夫々が、同じ周波数位置で過去のデータパターンと（周波数次元又は方向に）同じ長さを有する。このように、受信装置が送信帯域幅の特定のパートにチューニングされれば、フレーム毎の少なくとも１つのデータパターンが受信され、上記データパターンの夫々が同じ長さを有するが、時間次元で互いに追従する。本明細書において、送信装置でのデータパターンの夫々の長さは、同時に調整されうる。代わりに、又は付加的に、時間次元での付加的なデータパターンの数は、同時に調整されうる。又、時間方向での１つのフレーム内のデータパターンの長さ、すなわちタイムスロットの長さは、変わりうる。本明細書において、次のフレームの情報伝達パターンの全てが、同じ時点で開始することは重要である。次いで、データパターンに関する同時の変化が、情報伝達パターンで情報伝達される。このように、本発明によって提案されるフレーム構造を有するマルチ搬送システムによれば、データコンテンツの非常に柔軟な送信を可能にし、それ故に、データパターンの長さ、従ってデータパターン当たりのデータの量が、例えば、フレームからフレームに、又は他の要求される方法で同時に変化される。代わりに、データパターンの長さ、及び／又は数は固定又は不変であってもよい。
【００３４】
本発明は、送信装置が全体の送信帯域幅にデータを送信するように構成され、受信装置が選択的に上記全体の送信帯域幅のパートのみを受信するように構成される、あらゆる種類のマルチ搬送システムに適用されうることは理解すべきである。このようなシステムの例は、無数に存在しており、有線又は無線（例えば、ケーブル、地上波等）のデジタルビデオ放送システムのような将来の一方向又は双方向の放送方式等である。マルチ搬送システムの無数の例には、直交周波数分割多重（ＯＦＤＭ）システムがあり、データ、パイロット信号等が多数の周波数搬送波にマップされる他の適当な方式が使われうる。本明細書において、周波数搬送波は等距離であり、夫々が同じ長さ（帯域幅）を有していてもよい。しかしながら、本発明は、周波数搬送波が等距離ではなく、及び／又は夫々が同じ長さを有さない、マルチ搬送システムに利用されてもよい。更に、送信側に適用される全体の送信帯域幅及び受信側が調整される送信帯域幅の選択されるパートのいずれでもない、特定の周波数領域に、本発明が限定されないことは理解されるべきである。しかしながら、ある適用において、受信側、すなわち、受信部がチューニングされる送信帯域幅のパートに対する帯域幅で、受信する帯域幅を利用することは有利であり、それが存在する（デジタルビデオ放送、又は他の）システムのための受信装置の帯域幅に対応していてもよい。受信部帯域幅に対する無数の例は、７．６１ＭＨｚ、８ＭＨｚ、又は他の適当な値であってもよく、すなわち、受信側は、要求される７．６１ＭＨｚ又は８ＭＨｚにチューニングされうる。帯域幅は、全体の送信帯域幅を形成する。本明細書において、全体の送信帯域幅は、７．６１ＭＨｚの倍数、例えば、７．６１ＭＨｚ、１５．２２ＭＨｚ、２２．８３ＭＨｚ、３０．４４ＭＨｚ、６０．８８ＭＨｚ、２４３．５２ＭＨｚ等であり、全体の送信帯域幅のセグメンテーション、すなわち情報伝達パターン夫々の長さが７．６１ＭＨｚでありうる。しかしながら、他の数、セグメンテーション、及び倍数も可能であり、例えば、（これらに限定はされないが、）４ＭＨｚ、６ＭＨｚ、８ＭＨｚ、又は他の適当な値の情報伝達パターンが採用されうる。
【００３５】
一般的な受信帯域幅としての８ＭＨｚの無数の例の場合、本発明のフレーム構造で利用される情報伝達パターンの長さは、８ＭＨｚ、６ＭＨｚ、又は４ＭＨｚ（又は０（ｌｅｓｓ））である。
【図面の簡単な説明】
【００３６】
本発明は、開示される図に関連して、以下の説明でより詳細に説明される。
【００３７】
【図１】図１は、選択されるパートが選択的に又は柔軟に受信部によって受信される全送信帯域幅の概略図を示す。
【図２】図２は、全体の送信帯域幅のセグメンテーションについての例を示す。
【図３】図３は、本発明に係るフレーム構造の時間領域についての概略的な説明図を示す。
【図４】図４は、本発明に係るフレーム構造又はパターンの概略的な例を示す。
【図５】図５は、情報伝達パターンの復元を説明するためのものであり、図４のフレーム構造の一部を示す。
【図６】図６は、受信部のフィルター特性の概略的な例を示す。
【図７】図７は、本発明に係るパターンのフレーム構造の他の例を示す。
【図８】図８は、本発明に係るフレーム構造又はパターンの他の例を示す。
【図９】図９は、情報伝達パターンへのパイロット信号の配分についての第１の例を示す。
【図１０】図１０は、情報伝達パターンへのパイロット信号の配分についての第２の例を示す。
【図１１】図１１は、情報伝達パターンの復元の他の例を示す。
【図１２】図１２は、異なるチャネル帯域幅の適用例を示す。
【図１３】図１３は、時間次元での本発明のフレーム構造の概略的な例を示す。
【図１４】図１４は、本発明に係る送信装置の例の概略的なブロック図を示す。
【図１５】図１５は、本発明に係る受信装置の例の概略的なブロック図を示す。
【発明を実施するための形態】
【００３８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３９】
図１は、全体の送信帯域幅１の概略的な説明図であり、例えば、図１４に概略的に示される送信装置５４のように、本発明に係る送信装置は本発明と一致してマルチ搬送システムで信号を送信する。ケーブルテレビの環境下では、全体の送信帯域幅１は、例えば、デジタルテレビ信号が１又はそれ以上の受信部に送信される帯域幅を指すことができ、例えば、６４ＭＨｚの帯域幅、又は他のあらゆる適当な帯域幅を有することができる。本明細書において、送信帯域幅１は、異なる種類の信号が無線又は有線の送信媒体を経由して送信される、より大きい中間の帯域幅のパートになりうる。ケーブルテレビの例では、中間の帯域幅は、（ほとんど）０ＭＨｚから８６２ＭＨｚ（又は更に高い）までの範囲を示し、送信帯域幅は、その一パートである。図１は、更に概略的に本発明の受信装置３のブロック図を示し、送信帯域幅１の選択されるパート２に調整されて、送信帯域幅１の選択されるパート２を選択的に受信するように構成される。本実施形態において、受信装置３は、送信帯域幅１の要求されるパート２に調整されて、送信帯域幅１の要求されるパート２を選択的に受信するように構成されるチューナー４と、更に、復調や通信路復号等のように、夫々の通信システムと合致して受信される信号の更に必要な処理を実現する処理手段５とを備える。本発明に係る受信装置のより複雑な例が図１５の概略的なブロック図で示され、夫々の送信システム又は通信システムで信号を受信するように構成される、例えば、アンテナ、アンテナパターン、ケーブル又はケーブルの受信インターフェース又は他の適当なインターフェース等が挙げられる、受信インターフェース６４を備える受信装置６３を示す。受信装置６３の受信インターフェース６４は、図１に示すような調整手段４及び、受信される信号を中間の周波数又は基本のバンドに下方変換するように構成される下方変換手段のような、夫々の送信又は通信システムに依存する更に必要な処理要素等の調整手段を備える受信手段６５に連結される。
【００４０】
上述したように、本発明は、マルチ搬送システムのための特定且つ新規なフレーム構造を提供することによって、受信部の送信帯域幅１の要求されるパート２の柔軟且つ変化する受信を可能にする。図２は、全体の送信帯域幅１（例えば、３２ＭＨｚ、６４ＭＨｚ、又は他の適当なＭＨｚ）の概略図を示し、本発明の送信装置５４が、その範囲内で異なるセグメント又はパート６、７、８、９、１０にある、ビデオデータ、オーディオデータ、他のデータのようなデータコンテンツを送信するように構成される。例えば、パート６、７、８、９、１０は、異なる種類のデータや、異なるソースからのデータや、異なる受信部に対して提供することが意図されるデータ等を送信するように送信装置５４によって利用されうる。パート６及び９は、例えば、最大の帯域幅、すなわち、対応する受信装置６３（例えば、８ＭＨｚ、又は７．６１ＭＨｚ、又は他の最適な値）によって受信されうる最大の帯域幅を有する。パート７、８、１０はより小さい帯域幅を有する。本発明は、全体の送信帯域幅１にフレーム構造又はパターンを適用することを提案し、夫々のフレームは、周波数方向に互いに隣接する少なくとも２つの情報伝達パターンおよび多数のデータパターンを含む。夫々の情報伝達パターンは、同じ長さを有し、その周波数搬送波（ＯＦＤＭシステムの場合、周波数副搬送波）上にマップされる信号情報データ及びパイロット信号を含む。すなわち、全体の送信帯域幅１は、情報伝達パターンに対して均等なパートに分割され、例えば、図２のパート６、パート９に示される、受信部が調整されうる最大の帯域幅は、均等であるか、夫々の情報伝達パターンの長さよりも長くなければならない。従って、本発明によって提案される新規のフレーム構造は、情報伝達パターン及びデータパターンのみを含み、パイロット信号が含まれる離れたトレーニングパターンや他のパターンを含まない。すなわち、本発明は、２又はそれ以上の情報伝達パターンのみから成るプレアンブル及び時間領域でのプレアンブルに追従するデータパターンを有する新規なフレーム構造を提案する。
【００４１】
送信帯域幅の様々なデータパートの長さは、以下により詳細に説明されるように、受信部が調整されうる最大の帯域幅の長さ（周波数搬送波の数）を超えることができないということは、留意すべき点である。
【００４２】
図３は、本発明に係るフレーム１１、１２の時間領域構造の概略図を示す。夫々のフレーム１１、１２は、１又は２以上の情報伝達シンボル１３、１３’及びいくつかのデータシンボル１４、１４’を含む。本実施形態において、時間領域で、情報伝達シンボルはデータシンボルより先に位置する。夫々のフレーム１１、１２は、多数のデータシンボルを有し、夫々のフレーム１１、１２のデータシンボルの数は変化することが可能である。情報伝達シンボルに含まれるパイロット信号は、受信装置６３で利用され、受信装置６３は、チャネル推定、及び／又は整数周波数オフセット演算、及びフレームの開始の検出（時間及び周波数領域でのフレームの開始が検出されうる）を実現する。時間同期は、例えば、受信される情報伝達シンボル及び／又は時間領域のデータ領域のガードインターバルでのガードインターバルの相関を実行すること（又は他の適当な技術）によってなされる。情報伝達シンボル１３、１３’は、更に、例えば、Ｌ１情報伝達データに限られない受信される信号を復号するために受信装置６３によって必要とされる全ての物理層情報である、情報伝達情報を含む。情報伝達データは、例えば、様々なデータパターンへのデータコンテンツの配分を含んでいてもよく、すなわち、例えば、サービス、データストリーム、調整、エラー修正設定等が周波数搬送波に位置し、受信装置６３が、全体の送信帯域幅のパートを調整する情報を取得することができる。代わりに、夫々の情報伝達パターンは、フレームの開始からの夫々の情報伝達パターンのオフセット又は距離を示す情報伝達データを含んでいてもよく、情報伝達パターン及びデータパターンの受信が最適される方式で、受信装置６３が送信周波数の要求されるパートへの調整を最適化してもよい。一方、フレームの開始からの夫々の情報伝達パターンのオフセット又は距離も、パイロット信号、パイロット信号列、又は情報信号パターンに割り当てられるか含まれるガードバンドで符号化され、１つのフレームで全ての情報伝達パターンが統一の情報伝達データを有しうる。本発明に係るフレーム構造の利用は、論理ブロックにデータストリームを分割することによって、フレーム構造の変化がフレームからフレームに情報伝達され、先立つフレームが続いて起こるフレームの１つの変化したフレーム構造を伝達するという利点を更に有する。例えば、フレーム構造は、エラーを起こすことなく、パラメータ調整のシームレスな変化を可能にする。
【００４３】
図４は、本発明に係るフレーム構造又はパターン２９の周波数領域の例の概略図を示す。フレーム構造２９は、周波数方向に全体の送信帯域幅２４をカバーし、周波数方向に互いに隣接する少なくとも２つの（又は少なくとも１つの、又は少なくとも３つの）情報伝達パターン３１を含み、夫々が周波数搬送波でマップされる統一の又はほぼ統一された情報伝達データを搬送し、同じ長さを有する。図４で示される例では、全体の送信帯域幅２４の第１のタイムスロットは、４つの情報伝達パターン３１に小分けされるが、情報伝達パターンの数は多くても少なくても適当である。図１４に示されるように、本発明の送信装置５４では、フレーム形成手段は、夫々の情報伝達パターンに（調整手段５５から取得される）情報伝達データ及びパイロット信号を配列するように構成される。情報伝達データは、あらかじめ、ＱＡＭ調整等のような適当な調整方法で調整手段５５によって調整される。有利なことに、疑似的なノイズ列、ＣＡＺＡＣ列、又はＰＲＢＳ等が、パイロット信号のために利用されるが、良好な疑似的なノイズ及び／又は相関特性を有する他のパイロット信号列は、適当なものであるかもしれない。フレームの夫々の情報伝達パターンは、異なるパイロット信号列を含むかもしれないが、代わりに、１つのフレームの情報伝達パターンのパイロット信号は、単一のパイロット信号列を形成してもよい。
【００４４】
フレーム形成手段５９は、単一のモジュール又はユニット等として実施され、いくつかのモジュール、ユニット、及びデバイス等として又はいくつかのモジュール、ユニット、及びデバイス等で実施されうることは理解されるべき点である。更に、フレーム形成手段５９は、一時点で、図４に示されるような全体のフレーム構造又はパターン２９（又は図７に示されるような全体のフレーム構造又はパターン２９’）を形成せずに、時間次元での、他のものの後のフレーム構造の一パート、すなわち、タイムスロット後のタイムスロットを形成するように構成されてもよいことは理解されるべき点である。例えば、フレーム形成手段５９は、図４に示されるような情報伝達パターン３１を最初に配列して、送信帯域幅２４、すなわち、図４に示される例にある：４つの情報伝達パターン３１、の全体の幅に渡って、上記及び以下に記載されるパイロット信号を付加ように構成されうる。次いで、フレーム２４（第１のタイムスロット）のこのパートは、例えば、周波数から時間への変換手段６０で周波数領域から時間領域に変換すること、結果として生じる時間領域シンボル（例えば、ＯＦＤＭシンボル）等を構築すること、等によって更に処理される。次いで、次のステップで、フレーム形成手段５９は、更に以下に記載される方式で、全体の送信帯域幅２４に、データパターン３２、３３、３４、３５、３６、３７、すなわち、次のタイムスロットライン又は列を処理するように構成され、これらのデータパターンは、更に、例えば、周波数領域から時間領域にそれらを変換すること、時間領域シンボル（例えば、ＯＦＤＭシンボル）を形成すること、等によって処理される。このように、図４の図では、フレーム構造２９は、フレーム形成手段５９によってラインワイズ（ｌｉｎｅ  ｗｉｓｅ）又はタイムスロットワイズ（ｔｉｍｅ  ｓｌｏｔ  ｗｉｓｅ）に形成されうる。周波数方向に全体の送信帯域幅２４に渡って広がるフレーム構造２９の夫々のパートは、１つのブロックとして形成且つ処理されるが、時間方向（タイムスロット）で互いに続いて起こるパートは、交互に形成且つ処理される。
【００４５】
フレーム形成手段５９は、上記パイロット信号を配列するように構成され、パイロット信号は、夫々の情報伝達パターンに全てのｍ番目（ｍは、１より大きい自然数）の周波数搬送波１７上にマップされ、以下に図９に関して詳細に説明されるように、パイロット間の周波数搬送波１６は、情報伝達データを搬送する。付加的に、又は代わりに、フレーム形成手段５９は、上記パイロット信号を配列するように構成されてもよく、以下に図１０に関して詳細に説明されるように、パイロット信号は、情報伝達パターンに含まれる少なくとも１つのパイロットバンド１８、１９の周波数搬送波２０、２１上にマッピングされる。パイロットバンド１８、１９は、パイロット信号がマップされる多数の直接隣接する周波数搬送波から成る。本実施形態において、夫々の情報伝達パターンは、単一のパイロットバンド１８を有していてもよく、１つは周波数方向の情報伝達パターンの始点で、１つは周波数方向の情報伝達パターンの終点であるような、２つのパイロットバンド１８、１９を有していてもよい。パイロットバンドの長さ（パイロットバンドに割り当てられる周波数搬送波の数）は、有利なことに、夫々の情報伝達パターンに対して同じである。全ての情報伝達パターン３０の長さ又は帯域幅３９は、受信装置６３のチューナーが調整される帯域幅３８と同じであってもよい。しかしながら、受信装置６３のチューナーが調整されうる送信帯域幅のパートは、情報伝達パターン３０の長さよりも長くてもよい。周波数搬送波上への情報伝達データ及びパイロット信号のマッピングは、周波数から時間領域への変換の間の周波数から時間への変換手段６０によって実現される。情報伝達パターンに含まれるパイロット信号に関する上記された（以下で記される）全ての記述は、例えば、図１６に関連して説明されるように、データパターンに含まれるパイロット信号にも当てはまりうる。
【００４６】
受信したパイロット、すなわち、全てのｍ番目の周波数搬送波上にマッピングされるパイロット信号及び／又は受信される情報伝達パターンのパイロット信号に含まれるパイロット信号は、チャネル推定手段６９でのフレームの周波数搬送波のチャネル推定のために利用され、それにより受信されるデータパターン内のデータを正確に復調すること（ｄｅ−ｍｏｄｕｌａｔｉｏｎ）を可能にする必要なチャネル推定情報をデマッピング手段（ｄｅ−ｍａｐｐｉｎｇ）７０を提供する。また、受信されるパイロットは、検出及び次いで受信される信号の整数の周波数オフセットの補償を可能にする、対応する整数の周波数オフセット検出手段６７の整数の周波数オフセット検出のために、受信装置６３で利用される。整数の周波数オフセットは、多数の周波数搬送波空間にある元の（送信される）周波数からのずれである。受信されるパイロットは、更にフレーム２９、２９’の始点の検出のために利用される。
【００４７】
夫々の情報伝達パターン３１は、例えば、フレーム内の情報伝達パターン３１の位置を含む。例えば、夫々のフレーム２９、２９’の夫々の情報伝達パターン３１は、フレームの夫々の情報伝達パターン３１の中で異なる、フレーム内の夫々の情報伝達パターンの位置を除いて、統一の情報伝達データを有し且つ搬送する。情報伝達データは、受信される信号を復号するために受信装置６３によって必要とされる全ての物理層情報を含むＬ１情報伝達データである。しかしながら、他の適当な情報伝達データは、情報伝達パターン３１に含まれていてもよい。情報伝達パターン３１は、例えば、夫々のデータセグメント３２、３３、３４、３５、３６の位置を含んでいてもよく、受信装置６３は、要求されるデータセグメントがどこに位置するか把握しており、受信装置６３のチューナーは、要求されるデータセグメントを受信するために夫々の位置に調整することができる。代わりに、上述したように、フレームの夫々の情報伝達パターンは、統一の情報データを含んでいてもよく、フレーム内の夫々の情報伝達パターンの位置は、例えば、情報伝達パターンのパイロット信号列、又はガードバンドで符号される情報等による異なる方式で情報伝達される。上述したように、情報伝達パターン３１の夫々は、フレームに含まれるデータパターンの夫々についての情報を含むことができる。しかしながら、コストを削減するために、夫々の情報伝達パターン３１は、データパターンの一パート又はいくつかのみについての情報を含むことができるが、例えば、情報伝達パターン３１が位置する周波数バンド内に配置された（又は周波数バンドに隣接して配置された）ものに限られない。図４の例では、フレーム内の第１の情報伝達パターン３１は、データパターン３２及び３３（及びデータパターン３２’、３２’’．．．３３’、３３’’等に追従するタイムワイズ（ｔｉｍｅ  ｗｉｓｅ））についての情報を含むことができる。フレームの第２の情報伝達パターンは、データパターン３３、３４、３５（及びデータパターン３３’、３３’’．．．３４’、３４’’．．．３５’、３５’’等に追従するタイムワイズ（ｔｉｍｅ  ｗｉｓｅ））についての情報を含むことができる。
【００４８】
図１５に示されるように、受信装置６３は、チューナーを有する受信手段６５の後に、時間同期及びパート的な周波数オフセット検出手段６７を実現するように構成される時間同期手段６６を備える。次いで、受信される時間領域シンボルは、受信される時間領域信号を周波数領域に変換するための時間から周波数への変換手段６８に適用され、情報伝達データ（再構築手段７１での光学的再構築後）の後に、デマッピング手段７２で復調され、次いで評価手段７３で評価される。評価手段７３は、必要であり要求される情報伝達情報を受信される情報伝達データから抽出するように構成される。必要であれば、付加的な情報伝達パターンが、直接、続いて起こる情報伝達パターン３１に時間方向で提供される。
【００４９】
フレーム構造又はパターン２９は、周波数方向で全体の周波数帯域幅２４に渡って拡張して、時間方向に情報伝達パターン３１に追従する少なくとも１つのデータパターン又はセグメントを更に含む。情報伝達パターン３１が位置するタイムスロットに直接追従するタイムスロットで、図４に示されるフレーム構造２９は、異なる長さ、すなわち、データがマップされる夫々の周波数搬送波の数が異なった状態で、いくつかのデータセグメント３２、３３、３４、３５、３６、及び３７を含む。フレーム構造２９は、続いて起こるタイムスロットで付加的なデータセグメントを更に含み、付加的なデータパターンは、夫々、先立つデータパターンと同じ長さ及び周波数搬送波の数を有する。例えば、データパターン３２’、３２’’、３２’’’、及び３２’’’’は第１のデータパターン３２と同じ長さを有する。データパターン３３’、３３’’、３３’’’、及び３３’’’’はデータセグメント３と同じ長さを有する。すなわち、付加的なデータパターンは、情報伝達パターン３１の後の最初のタイムスロットで、いくつかのデータパターン３２、３３、３４、３５、３６、及び３７と同じ周波数次元構造を有する。このように、もし受信装置６３が、例えば、データパターン３５を受信するために送信帯域幅のパート３８に調整すれば、全てのタイムワイズに引き続いて起こるデータパターン３５と同じ長さを有するデータパターン３５’、３５’’、及び３５’’’が適切に受信されうる。
【００５０】
上述したように、フレーム形成手段５９は、交互に、すなわち、タイムスロット毎に、全体の送信帯域幅２４に渡って広がる夫々のデータパターンのラインを形成してもよい。例えば、データパターン３２、３３、３４、３５、３６、３７は、フレーム形成手段５９によって形成され、次いで、周波数領域から時間領域に変換される。その後、データパターン３２’、３３’、３４’、３５’、３６’、３７’は、フレーム形成手段５９によって形成され、次いで、周波数領域から時間領域に変換されたりする。周波数領域から時間領域への変換は、周波数から時間への変換手段６０によってなされ、周波数領域から時間領域への変換の間に、データが周波数搬送波上にマッピングされる。
【００５１】
本発明によって提案されているように、フレーム構造又はパターン２９の柔軟であり様々なデータパターンは、図１４の枝データ１、データ２、及びデータ３によって視覚化されているように、例えば、種々のデータ及び／又は異なるソースからのデータでの様々な異なるデータストリームのマッピングによって、図１４で示されているように本発明の送信装置５４で実施される。夫々の枝のコンテンツデータは、例えば、夫々の調整手段５８、５８’、５８’’でのＱＡＭ又は他の適当な調整である、実施される変調方式により変調される。次いで、夫々のコンテンツデータは、例えば、フレーム形成手段５９に含まれるデータパターン形成手段によって、又は他の適当に実施されるモジュール、手段、ユニット等によってフレーム形成手段５９でのデータパターンで配列される。
説明したように、フレーム形成手段５９は、適当なパイロット生成モジュール（図示せず）、例えば、フレーム形成手段５９に含まれる、情報伝達パターン形成手段、又は他の適当なユニット、モジュール、又は要素によりフレーム形成手段５９に供給される情報伝達データ及びパイロット信号で情報伝達パターンも形成する。次いで、説明したように、フレーム形成手段５９は、情報伝達パターン及びデータパターンでフレーム構造２９、２９’を有するフレームを形成する。説明したように、フレーム形成手段５９は、１又は複数のモジュールで実施され、又は他の処理装置又はモジュールの一パートともなりうる。
更に、フレーム形成手段５９は、例えば、最初に第１のタイムスロットで情報伝達パターン３１の列を形成して全体の送信帯域幅２４に渡って広げて、次いで、データパターン３２、３３、３４、３５、３６、３７の列を形成して全体の送信帯域幅２４に渡って広げること等によって、パート毎に続いて起こる時間でフレーム２９を形成するように構成される。次いで、情報伝達データ、パイロット信号、コンテンツデータが、独立に互いに、（例えば、高速フーリエ逆変換法等である）周波数から時間への変換手段６０によって、周波数領域から時間領域に変換され、周波数搬送波上にマッピングされる。本実施形態において、フレーム構造２９、２９’が周波数から時間への変換に対する基礎を形成するということは、留意すべき点である。全体の送信帯域幅２４のタイムスロット夫々のパイロット信号及びコンテンツデータを含む情報伝達データ（フレーム構造２９、２９’の時間次元でのタイムユニット）は、周波数搬送波上にマッピングされる。すなわち、夫々のタイムスロットでの全体の送信帯域幅２４の全てのパターンは、随時必要な数の周波数搬送波上にマップされる。例えば、次いで、図４のフレーム構造２９の第１のタイムスロット（すなわち、全ての情報伝達パターン３１）は、情報伝達シンボルをもたらし、フレーム構造の第２のタイムスロット（すなわち、全ての情報伝達パターン３２、３３、３４、３５、３６、３７）はデータシンボルをもたらしたりする。対応して形成される時間領域シンボル（例えば、ＯＦＤＭシンボル）は、次いで周波数から時間への変換手段６０から時間領域シンボルにガードインターバルを付加する付加ガードインターバル５７に供給される。次いで、このようにして形成される送信シンボルは、例えば、適当なアンテナ、又はアンテナパターン等である送信インターフェース６２を経由して送信手段６１によって送信される。
【００５２】
説明したように、周波数搬送波が、夫々、等距離であって、同じ帯域幅を有する場合に、少なくともいくつかの様々なデータパターンは、異なる長さ、すなわち、異なる数の周波数搬送波を有していてもよい。代わりに、周波数方向でのデータパターンの数は、情報伝達パターンの数と同じであってもよく、夫々のデータパターンの長さは、夫々の情報伝達パターンの長さに統一されていてもよく、それらは互いに一列に並べられていてもよい（同じ周波数方向の構造を有する）。代わりに、夫々のデータパターンは、まだ同じ周波数構造及び配置を有している間に、同じ長さを有していてもよく、データパターンの数は複数の情報伝達パターンの数であってもよい。このように、例えば、２、３、４、又はそれ以上のデータパターンは、夫々の情報伝達パターンに一列に並べられる。一般的に、データパターンの長さはより小さいか、データパターンが受信装置６３に受信されるように長くても有効な受信部帯域幅に等しいということが必要である。更に、送信装置５４は、データパターン構造、例えば、データパターンの長さ及び／又は数を同時に変化するように構成される。代わりに、データパターンの構造は、固定されるか、又は不変である。
【００５３】
夫々のデータパターン（時間方向に追従する）が送信されるのであれば、一般的に（本実施形態で記載されている全ての実施形態について）、送信装置５４は、情報伝達パターンの生成及び送信のみをするように構成される。従って、受信部で再分類することが可能で、１つの完全な情報伝達パターンが受信されるパートを再分類することによって取得されるのであれば、（周波数方向に）データパターンに渡って広がる情報伝達パターンは、切断される（送信されない）。代わりに、時間方向に追従するデータパターンが送信されなくても、情報伝達パターンは送信される。これら２つの可能性の組み合わせも実施されうる。
【００５４】
更に、受信側で優れたチャネル推定を可能にするために、有利なことに、データパターンが周波数搬送波、例えば、全てのｎ番目の周波数搬送波（ｎは１より大きい整数）にマッピングされるパイロット信号を含むことができるということは留意すべき点である。従って、パイロット信号は、フレーム２９、２９’の１つのタイムスロットで全てのデータパターンに対して、すなわち、全体の送信帯域幅に対して、規則正しいパターン又は不規則なパターンで、データが搬送波間に拡散される。更に、全体の送信帯域幅の最初及び最後の周波数搬送波は、随時パイロット信号を搬送することができ、継続的なパイロットが、時間方向の周波数搬送波に存在する。また、付加的なパイロットが選択される周波数搬送波に存在する。データパターンのパイロット信号は、例えば、良好な相関特性、例えば、疑似ノイズ列、ＰＲＢＳ（疑似ランダムバイナリー列）等を有するあらゆる適当な列であるパイロット信号列によって形成されうる。パイロット信号列は、例えば、夫々の（周波数領域の）フレームで同じであるか、又は１つのパイロット信号が、全体の送信帯域幅１もしくは全体の中間帯域幅（又は少なくともその一パート）のために利用される。もしＰＲＢＳ生成器が、送信装置５４に利用されるならば、パイロットは、全ての周波数搬送波に対して生成されるが、パイロット信号に対するパイロットは利用されるのみである。全体の中間帯域幅についてのパイロット列の場合に、ＰＲＢＳ生成器は、周波数を０ＭＨｚにするように一度だけ初期化され、パイロット信号列は、固有のものである。代わりに、パイロット信号列は、周波数領域で数回繰り返されうるが、夫々の送信帯域幅で明白である（例えば、パイロット信号列は、全ての２００ＭＨｚ又は他の適当な値で繰り返されうる。）
【００５５】
次いで、送信装置５４で様々な調整手段５８、５８’、５８’’からのデータが、フレーム形成手段５９にある本発明に係るフレームパターン又は構造２９のパイロット信号と組み合わせられる。
【００５６】
本発明のフレーム構造は固定又は不変であり、すなわち、全体の帯域幅及び時間方向の夫々のフレームの拡張が固定され、常に同じである。代わりに、フレーム構造は、柔軟でもあり、すなわち、全体の帯域幅及び／又は時間方向の夫々のフレームの拡張が柔軟であり、所望のアプリケーションに依存して経時的に変わりうる。従って、変化は、情報伝達パターンの情報伝達データで、受信装置に情報伝達されうる。
【００５７】
受信装置６３の開始段階又は初期段階の間、受信装置６３は、全体の周波数帯域幅の恣意的な周波数のパートに調整する。ケーブル放送方式の無数の例において、情報伝達パターン３０は、例えば、７．６１ＭＨｚ又は８ＭＨｚの帯域幅を有することができる（しかしながら、情報伝達パターンが、４ＭＨｚ、６ＭＨｚ等のように、他の帯域幅も有しうることは理解されるべき点である。）。このように、開始段階の間、受信装置６３は、元の又は再配置された列で全体の情報伝達パターン３０を受信することができ、時間同期手段６６の時間同期を実現することができ、例えば、受信される情報伝達シンボル（又はデータシンボル）のガードインターバルでのガードインターバル相関を実行すること、又は時間同期を取得するための他の適当な技術を利用することによって、時間同期手段６６で時間同期を実行することができる。受信装置６３は、部分的な周波数の補償を可能にするために、部分的な周波数搬送波スペースから受信される信号の検出及び部分的な周波数オフセットの計算を実行するように構成される説明された部分的な周波数オフセット検出手段６７を更に備える。次いで、このようにして取得される部分的な周波数は、部分的な周波数の補償を実行する受信手段６５に含まれるチューナーに供給される。部分的な周波数の補償は、他の適当な技術によってもなされうる。時間から周波数への変換手段６８で、受信される時間領域信号を周波数領域に変換した後、受信される情報伝達パターンのパイロット信号は、チャネル推定手段６９及び／又は整数の周波数オフセット演算で、チャネル推定（大抵、粗いチャネル推定）を実行するために利用される。整数の周波数のオフセット演算は、元の周波数構造から受信される周波数のオフセットを検出及び演算するように構成される整数の周波数オフセット検出手段７４で実行され、周波数のオフセットは、周波数搬送波スペースの整数倍（整数の周波数オフセット）でカウントされる。次いで、このようにして取得される整数の周波数オフセット情報は、整数の周波数の補償を実行する受信手段６５に含まれるチューナーに供給されうる。整数の周波数の補償は、他の適当な技術によってもなされうる。パート的な周波数オフセットは、既にパート的な周波数のオフセット検出手段６７によって演算且つ補償されているので、それ故に完全な周波数オフセットの補償が達成される。受信装置６３の評価手段７３で、受信される情報伝達データは評価され、例えば、フレームでの受信される情報伝達パターンの位置が取得されるので、図４に示されるパート３８のように、受信部は自由且つ柔軟に、夫々に要求される周波数の状態にチューニングすることができる。しかしながら、受信装置６３のチューニングポジションが情報伝達パターン構造に合わない場合、正確に情報伝達パターン３１の情報伝達データを評価することができるようにするために、受信される情報伝達信号は、説明した再構築手段７１で実行される再配置がなされる必要がある。図５は、概略的な例で、この再配置を示す。情報伝達データの元の列を再構築するために再構築手段７１がパート３１’’の後にパート３１’を配置した後、及びデマッピング手段７２により周波数搬送波からの情報伝達データに対して対応するデマッピングがなされてから再配置される情報伝達が評価手段７３で評価された後、過去の情報伝達パターンの最後のパート３１’は、続いて起こる情報伝達パターンの最初のパート３１’’の前に受信される。夫々の情報伝達パターン３１のコンテンツが同じ（又はほとんど同じ）であるので、この再配置が可能であるということは、覚えておくべきことである。
【００５８】
しばしば、受信装置は、受信部が調整される完全な受信帯域幅に渡る平坦な周波数応答を提供しない。更に、送信システムは、大抵、受信帯域幅ウィンドウのボーダーでの増加する減衰に直面する。図６は、典型的なフィルターの形状の例の概略図を示す。フィルターは長方形ではないので、例えば、受信装置は、８ＭＨｚの代わりに７．６１ＭＨｚの帯域幅のみを実質的に受信することができる。結果として、情報伝達パターン３１が、受信装置６３の受信する帯域幅と同じ長さおよび帯域幅を有する場合に、受信装置６３は、図５に関して記載されているような情報伝達データの再配置を実行することはできなくてもよい。この問題及び他の問題を克服して、受信装置６３が、元の配列で随時完全な情報伝達パターンを受信することができ、受信される情報伝達パターンを再配置又は再配列する必要がないことを確実なものとするために、代わりに又は付加的に、本発明は、受信部の帯域幅と比較して、例えば、７．６１ＭＨｚ（又は他の適当な長さ）程の短くなった長さを有する情報伝達パターン３１を使うことを提案する
【００５９】
例えば、図７に示されているように、受信部の帯域幅の半分の長さであるが、同じ周波数構造を有する情報伝達パターン３１ａを利用することが提案される。すなわち、夫々の２つの（すなわち、ペア）の半分の長さの情報伝達パターン３１ａは、受信部の帯域幅に構成され、一列に並べられる。従って、情報伝達パターン３１ａの夫々のペアは、夫々のフレームで情報伝達パターン３１ａの（様々な）位置を含む統一の情報伝達データ又はほとんど統一された情報伝達データを有する。しかしながら、他のペアの情報伝達に関して、これらの他のペアでは、それらはフレームないに夫々異なる位置を有するので、情報伝達パターンは位置情報を除いて統一にされる。８ＭＨｚの帯域幅又は長さを有する受信装置６３の上記の例では、次いで情報伝達パターン３１ａは、４ＭＨｚの長さ又は帯域幅を有する。従って、以前と同じ量の情報伝達が送信されることを確実なものとするために、情報伝達パターン３１ａの後に次いで、データパターン３２、３４、３５、３６、及び３７の前のタイムスロットで、付加的な半分の長さの情報伝達パターン３１ｂを付加することが必要であってもよい。付加的な情報伝達パターン３１ｂは、情報伝達パターン３１ａのように同じ時間及び周波数の配列／整列を有するが、情報伝達パターン３１ａに含まれる情報伝達情報に対し付加的で異なる情報伝達パターンを含む。このようにして、受信装置６３は、情報伝達パターン３１ａ及び３１ｂを完全に受信することができ、受信装置の再構築手段７１は、情報伝達パターン３１ａ及び３１ｂの情報伝達データを元の配列に組み合わせるように構成される。この場合、再構築手段７１は省略されうる。
【００６０】
有利なことに、全ての必要な情報伝達データが半分の長さで送信されるのであれば、１つのタイムスロットに半分の長さの情報伝達パターン３１ａの提供のみをすることも可能であり、付加的な情報伝達パターン３１ｂは必要ない。この場合、夫々の情報伝達パターン３１ａは、統一の（又はほとんど統一された）情報伝達データを含み、夫々受信される情報伝達パターン３１ａは、受信装置６３に随時送信帯域幅の要求されるパート（及びそのため要求されるデータパターン）にチューニングして、受信することを可能にする。代わりに、更に半分の長さの情報伝達パターンは情報伝達パターン３１ｂの後に、続いて起こる時間で利用されうる。
【００６１】
一般的に（本発明の全実施形態について）、データパターン及び／又は情報伝達パターンの長さ（又は帯域幅）は、例えば、上述したように、受信するバンドパスフィルターの出力帯域幅である、受信装置６３の実質的な受信する帯域幅より小さいか、多くても等しくなるように構成されることは留意すべき点である。
【００６２】
更に、本発明の全ての実施形態について、１又はそれ以上の情報伝達パターン３１；３１ａ、３１ｂが、時間方向に、フレーム内で同じ長さ及び位置で１又はそれ以上の付加的な情報伝達パターンによって、後に続くのであれば、より有利なことである。例えば、フレームの第１の情報伝達パターンは、後に続くタイムスロットで１又はそれ以上の付加的な情報伝達パターンを有しうる。従って、付加的な情報伝達パターンは、第１の情報伝達パターンと統一の又はほとんど統一された情報伝達情報を有することができる。代わりに、時間方法で２つの後に続く夫々の情報伝達パターンは、共に必要とされ完全な情報伝達データを含むことができる。フレームの他の情報伝達パターンは、付加的な情報伝達パターンを有する必要がなくてもよい。一般的に、フレーム内の夫々の周波数の位置での情報伝達パターンの数は、多様なものとなりうる。例えば、フレームの夫々の周波数の位置で、段階又は他の外乱の観点から必要な多数の情報伝達パターンが提供されれば、有利なことである。代わりに又は付加的に、フレーム内での夫々の周波数の位置での情報伝達パターンの数は、情報伝達データの数に依存して変わりうる。従って、例えば、より多くのデータパターンが情報伝達される必要があれば、より多くの情報伝達パターンが時間方向で必要となる。そのため、時間方向で情報伝達パターンの長さは、情報伝達パターンに含まれる情報伝達データの一部となりうる。
【００６３】
無数の例において、整数の周波数同期、チャネル推定、及びデータパターンのために利用される、例えば、Ｌ１（レベル１）情報伝達データ及び付加的なパイロットである情報伝達データの送信及び受信は、ＯＦＤＭに基づいている。情報伝達データは、例えば、４ＭＨｚのブロック又はパターンで送信されるが、他の適当なサイズが利用されうる。唯一必要な条件は、チューニングウィンドウ内で１つの完全な情報伝達パターンを有することであるが、この条件は、図７に関連して記載されている時間方向に互いに後に続く、より小さいサイズを有する２つ又はそれ以上の情報伝達パターンを利用することによって全うされる。従って、情報伝達パターンの最大の帯域幅は、例えば、最先端のチューナー、すなわち、７．６１ＭＨｚのチューニングウィンドウであってもよい。いくつかの例が以下に示される。第１の例では、４４８μｓのＯＦＤＭシンボルの有用なパートの持続時間Ｔｕを有しながら、１７９２のＯＦＤＭ周波数搬送波に対応する一方で、夫々の情報伝達パターン３１；３１ａ、３１ｂは正確に４ＭＨｚをカバーする。第２の例では、４４８μｓのＯＦＤＭシンボルの有用なパートの持続時間Ｔｕを有しながら、これが３４０９ＯＦＤＭ周波数搬送波に対応する一方で、夫々の情報伝達パターンは７．６１ＭＨｚ（正確には３４０９／４４８μｓ）をカバーする。
【００６４】
本発明の第１の側面によれば、図９で概略的に示されるように、パイロット信号は、情報伝達パターン３１ａの全てのｍ番目の周波数搬送波１７にマッピングされる（ｍは１より大きい整数である。）。しかしながら、この可能性が、図４に示される情報伝達パターン３１、又は一般的に適当な長さの情報伝達パターン（すなわち、４ＭＨｚ、６ＭＨｚ、７．６１ＭＨｚ、８ＭＨｚ等）に均等に当てはまることは明らかである必要がある。周波数搬送波１６への情報伝達データのマッピング及び全てのｍ番目の周波数搬送波へのパイロット信号１７のマッピングは、図１４に示される送信装置５４に含まれる周波数から時間への変換手段６０によって実行される。一般的に、上述したように、パイロット信号は、パイロット信号列を形成する。従って、パイロットは、例えばＤ−ＢＰＳＫ（差動位相変調方式）だが、これに限られないような微分でありうる変調方式によって互いに変調されうる。パイロット列は、例えば、ＰＲＢＳ（擬似ランダムバイナリー列、例えば、２  ２３−１）によって取得される。ｍの繰り返し率は、多重チャネルに対しても、図１５に示されるように本発明の受信装置６３のような受信側で、明白なＤ−ＢＰＳＫ復号を可能にする。７、１４、２８．．．は１７９２（＝４ＭＨｚの情報伝達パターンでの周波数搬送波の数）の約数であるので、繰り返し率ｍは、例えば、４ＭＨｚの情報伝達パターンに対して７、１４、２８、．．．である。すなわち、全てのｍ番目の周波数搬送波は、パイロット信号を隣接する情報伝達パターン中に搬送する。すなわち、繰り返し率は、全ての情報信号パターンを指し、パターン内のみでなく、パターン間で実行される。この例は、４ＭＨｚ情報伝達パターン当たりの２５６パイロット信号をもたらす。しかしながら、上述した例とは異なる繰り返し値は、情報伝達パターン及び／又は他の要素の夫々の長さに依存して有利なものであってよい。例えば、７．６１ＭＨｚの長さ又は情報伝達パターンの場合、有利な繰り返し値は６又は１２（ｍ＝６又は１２）であるが、他の適当な値が利用されうる。データパターンは、データを有する周波数搬送波間で周波数搬送波上にマップされるパイロット信号も搬送する場合に、パイロット信号がマッピングされる情報伝達パターンでの周波数搬送波に対応する位置でのパイロット信号がデータパターンの周波数搬送波上にマッピングされれば有利なことである。従って、データパターンでのパイロット信号の密度は、情報伝達パターン内のパイロット信号の密度と同じくらい高い必要はない。例えば、パイロット信号が、情報伝達パターンで全てのｍ番目の周波数搬送波上にマッピングされれば（ｍは１より大きい整数）、パイロット信号は、データパターンの全てのｎ番目の周波数搬送波上にマッピングされうる。ここでｎは、１より大きくｍの倍数である。有利な例としては、ｍ＝７でｎ＝２８の場合である（又は他の適当な数である。）。情報伝達パターンとして説明されたように、データパターン内のパイロット信号は、パイロット信号列も形成する。
【００６５】
例えば、ＰＮ列である、情報伝達パターン及びデータパターンに対するパイロット信号列の創造に関して、２つのオプションがある。
・オプション１：夫々のフレームの全ての情報伝達パターンは、異なるパイロット信号列を搬送する。上記の例では、ＰＲＢＳレジスターの初期化は、送信周波数に調整される。２５６のパイロットは、全ての４ＭＨｚの周波数ブロック内に位置する。４ＭＨｚブロックの夫々のパイロット情報伝達列は、独立して計算される。これにより受信側での記憶の実質的な実行を可能にする。
・オプション２：パイロット情報伝達列は、完全な送信帯域幅又は中間の帯域幅に含まれる全ての情報伝達パターンに対して一度適用される。受信部、例えば、受信装置６３は、この既知の列を、例えば、記憶手段に記憶するか、又はそれを適当なパイロット列生成手段７４で生成して、適当なパイロット列生成手段７４は、整数の周波数オフセット検出手段７４の一部分又は外付けになってもよく、その電流調整ポジションに対応する周波数ブロックを抽出する。
【００６６】
図１４に示されるように、情報伝達パターンに対するパイロット信号は、フレーム形成手段５９に適用され、フレーム形成手段５９は、本発明に係る情報伝達パターンに、パイロット信号を有する情報伝達データを組み合わせる。従って、情報伝達データに対するパイロット信号は、例えば、適当なパイロット信号生成手段によって、例えば、ＰＲＢＳだがこれに限られない、送信装置５４内に生成される。次いで、生成される列は、例えば、二相位相変調方式、又は微分二相位相変調方式等のような変調方式によって変調され、変調されるパイロット信号列は、フレーム形成手段５９に供給される。説明されたように、フレーム形成手段５９は、パイロット信号及び情報伝達データを情報伝達パターンに組み合わせる。従って、情報伝達データは、例えば、１６ＱＡＭ変調方式だがこれに限られない、誤りコーディング及び変調によって適当な方式で処理される。付加的な可能性として、フレーム形成手段５９の後に、情報伝達データ及びパイロット信号を含む情報伝達パターンは、対応する周波数変更手段で周波数を変更され、周波数変更手段は、適当な疑似ランダム２進数列レジスターによって更に生成されるＰＲＢＳで情報伝達パターンのパイロット信号の周波数を変更するように構成される。この可能性は、上述したオプション１及びオプション２、又は他の適当な実行に当てはまる。オプション２で上述したように、全体の中間帯域幅に渡って、又は情報伝達パターンの周波数の変更に対して、パイロット情報伝達列が利用される場合、このようなパイロット信号列は、例えば、適当な疑似ランダム２進数列レジスターによって生成され、疑似ランダム２進数列レジスターは、例えば、実行に依存して８６２ＭＨｚ又はより高い中間の帯域幅の上部の配列に至るまで、０ＭＨｚの（実質的な）周波数で列を初期化する。次いで、周波数を変更された情報伝達パターンは、周波数から時間への変換手段６０に供給され、更に処理される。
【００６７】
情報伝達パターン内の全ての他の搬送波１６は、Ｌ１情報伝達データの送信のために利用される。夫々の情報伝達パターンの情報伝達データの開始は、常に４ＭＨｚ（又は７．６１ＭＨｚ又は８ＭＨｚ等）の構造に調整され、すなわち、それは、常に４ＭＨｚ（又は７．６１ＭＨｚ又は８ＭＨｚ等）の倍数で開始する。パイロット信号列は、受信装置６３に夫々のフレームの情報伝達パターンの位置についての情報を提供するので、夫々の４ＭＨｚ（又は７．６１ＭＨｚ又は８ＭＨｚ等）の情報伝達パターンは、正確に同じ情報を搬送してもよい。代わりに、夫々の情報伝達パターンは、付加的にフレームの情報伝達パターンの位置を付加的に含んでもよい。更に、ピーク対平均電力比を低減するために、夫々の情報伝達パターンの情報伝達データは、情報伝達パターン数によって取得されてもよい固有の周波数変更列によって送信部で周波数を変更されてもよい。
【００６８】
受信装置６３で、情報伝達パターン３１；３１ａ、３１ｂに含まれるパイロット信号は、整数の周波数オフセットを検出するために、整数の周波数オフセット検出手段７４で（時間から周波数への変換手段６８で受信される時間領域シンボルの時間から周波数への変換後、）利用され、結果として、周波数領域での整数の周波数オフセット補償を実行するために受信装置６３で利用される。特に、受信される周波数範囲内で情報伝達パターンに含まれる（例えば、Ｄ−ＢＰＳＫで調節される）パイロット信号は、（実質的に、周波数の復調後に、）整数の周波数オフセット検出手段７４に含まれる（例えば、Ｄ−ＢＰＳＫの復調を実行する）復調手段７５で復調される。パイロット信号の微分変調が、例えば、Ｄ−ＢＰＳＫである場合、チャネルの比較的短いエコーが、周波数方向に非常にスローな変化をもたらすので、パイロットにとってチャネル推定の必要はない。次いで、整数の周波数オフセット検出手段７４に含まれる相関手段７６は、正確な周波数オフセットで調節されるために、復調されたパイロット信号（パイロット信号列）を記憶されるか生成される（と予測される）パイロット信号配列、例えば、ＰＲＢＳ配列との相関を実行する。相関を実行することは、（受信側のテーブルでリスト化されうる）情報伝達パターンの開始で予測されるＰＲＢＳ配列でなされる。配列が受信されるシンボルで発見されれば、同期のピークが取得され、受信装置６３は、正確な周波数オフセットを把握して、それを補償する。特に、取得される整数の周波数オフセットは、再構築手段７１及びデマッピング手段７２に供給され、再構築手段７１及びデマッピング手段７２で利用され、更に取得される整数の周波数オフセットは、チャネル推定及び等下を実行するためにチャネル推定手段６９に供給され、チャネル推定手段６９で利用される。又、同期のピークの検出は、フレームの開始の検出を可能にする。
【００６９】
必要な時間同期及びパート的な周波数オフセット検出及び補償は、例えば、受信される情報伝達シンボル及び／又はデータシンボルのインターバルを用いるガードインターバル相関を利用する時間同期手段６６及びパート的な周波数オフセット検出手段６７で受信される時間領域シンボルの時間領域でなされる（情報伝達シンボル、データシンボル、及びガードインターバルでフレームの時間領域の説明をする図１３参照）。時間同期は、代わりに、受信される時間領域シンボル及び受信部が生成した時間領域シンボルの間の絶対値の相関を実行するによってなされ、そこでは、パイロット信号のみが変調される。受信されるシンボル及び受信部が生成したシンボルの相関のピークは、正確な時間同期を可能にする。
【００７０】
図１０で概略的に示される本発明の第２の側面によれば、夫々の情報伝達データ３１ａ（又は情報伝達データ３１）は、パイロットバンド１８、１９の周波数搬送波２０、２１上にマッピングされるパイロット信号を含む、少なくとも１つのパイロットバンド１８、１９を含む。パイロットバンド１８、１９は、夫々、同じ周波数搬送波数又は異なる周波数搬送波数を有していてもよい。従って、夫々の情報伝達パターン３１ａは、パイロットバンド１８、１９を（周波数方向の）その始点又は終点に有していてもよい。代わりに、夫々の情報伝達パターンは、パイロットバンド１８、１９を夫々のボーダー、すなわち、パターンの始点及び終点に有していてもよい。本発明の第１の側面に関連する上記の全ての他の記述及び定義は、第２の側面にも適用され、第２の側面はオプション１及びオプション２を含む。第１及び第２の側面が組合されうる、すなわち、夫々の情報伝達パターンは、上述したような少なくとも１つのパイロットバンド１８、１９及び全ての周波数搬送波１２上にマッピングされるパイロット信号を含んでもよいことは理解されておくべきである。
【００７１】
上述したような本発明の両方の側面で、パイロット信号を有する周波数搬送波数及び情報伝達データを有する周波数搬送波数の間の関連性は、多様であって、夫々の情報伝達及びオフセット補償の必要性を有していてもよい。
【００７２】
図１１に概略的に示されるように、送信装置５４は、ケーブルネットワークからの他のサービス、例えば、航空無線への外乱を避けるために全体の送信帯域幅の所定の領域２２、２３を削除してもよい（ノッチ）。従って、スペクトルのあるパートは、調節（変調）されなくてもよい。この場合、情報伝達パターン３１；３１ａ、３１ｂ内の作用する周波数搬送波は、同様に調整（変調）されない。
【００７３】
本発明によって提案される同期が非常に強力なものである場合、このことは、Ｄ−ＢＰＳＫ変調パイロットによる周波数の同期の実行に作用しない。情報伝達データの欠落したパートは、例えば、２つの隣接した情報伝達パターンからのパートを組み合わせることにより、繰り返される情報伝達データ（フレームの全ての情報伝達データ３１；３１ａ、３１ｂが統一の、又はほぼ統一された情報伝達データを含む）によって、及び送信装置５４に含まれる誤りコーディング手段５６により情報伝達パターンに付加された強力なエラー保護によって回復される。送信帯域幅のエッジにある情報伝達データの欠落したパートは非常に広いノッチとして扱われる。
【００７４】
ノッチ（刻み目）又は他の問題に対処するための代わりの、又は付加的な可能性は、情報伝達パターン３１；３１ａ、３１ｂを２又はそれ以上のパートに分割すること、及びフレームからフレームに夫々の情報伝達パターンでの２又はそれ以上のパートの配列を反転させることである。例えば、フレームの第１の情報伝達パターンが第１及び（続いて起こる）第２のパートに分割されれば、直接次のフレームの（対応する）第１の情報伝達パターンが始点にある第２のパート及び続いて起こる第１の情報伝達パートを有する。このように、例えば、第２のパートが刻まれ、又はかく乱されれば、（続いて起こる第１のパートがかく乱されるので、）受信部は、第２のパートが問題なく受信される次のフレームを待つ必要がある。
【００７５】
受信側の異なるチューニング帯域幅への情報伝達パターン３１；３１ａ、３１ｂの適用は、例えば、情報伝達パターンの周波数搬送波の距離を変えることによってなされてもよい。代わりに、図１２に概略的に示されているように、例えば、夫々の周波数搬送波を変調せずに、周波数搬送波の距離を一定にすること及び送信帯域幅の端部の情報伝達パターンのパートを切断することは可能であり、図１２では、４ＭＨｚの情報伝達パターンでの方式の６ＭＨｚのチューニング帯域幅に対する適用は、６ＭＨｚまでの長さを有するデータパターンの受信を可能にする。
【００７６】
実質的に、夫々の情報伝達データ３１；３１ａ、３１ｂは、夫々のパターンの始点及び終点にガードバンドを付加的に含む。代わりに、いくつかの適用として、夫々のフレームでの第１の情報伝達パターン、図４の例では、状態３９での情報伝達パターンのみがパターンの始点にのみガードバンドを含み、夫々のフレームでの最後の情報伝達パターンは、パターンの終点にのみガードバンドを含む。代わりに、いくつかの適用として、夫々のフレームでの第１の情報伝達パターン、図４の例では、状態３９での情報伝達パターンのみがパターンの始点及び終点にガードバンドを含み、夫々のフレームでの最後の情報伝達パターンはパターンの始点及び終点にガードバンドを含むことができる。いくつか又は全ての情報伝達パターンに含まれるガードバンドの長さが、例えば、受信装置が対処することができる最大の周波数オフセットよりも短いか、長くても同じである。又、情報伝達パターンに含まれる夫々のガードバンドの長さは、少なくとも、図６に関して記載されているようなフィルター特性により、受信装置に受信されない搬送波の長さである。例えば、全体の送信帯域幅が８ＭＨｚ（４ｎｋモード：ｋは１０２４の搬送波／サンプルのフーリエウィンドウサイズであり、ｎ＝１、２、３、４．．．．）の倍数であり、夫々の情報伝達パターンが４ＭＨｚの長さを有するＯＦＤＭ方式では、夫々の情報伝達パターンの始点及び終点での夫々のガードバンドの長さは、（夫々の４ｎｋモードでの夫々のフレームの始点及び終点のデータパターンでの利用されない搬送波の数である）３４３の周波数搬送波であると提案される。結果として利用可能な搬送波の数は、３５８４／２−２×３４３＝１１０６である。しかしながら、これらの数は例として利用されているだけであり、あらゆる意味で限定されないことが意図されることは理解されておくべき点である。従って、情報伝達パターンに含まれる夫々のガードバンドの長さは、少なくとも、図６に関して記載されているようなフィルター特性により、受信装置に受信されない搬送波の長さであり、そのため、夫々の情報伝達パターンの情報伝達データの長さは、実質的な受信部の帯域幅に等しい（又は実質的な受信部の帯域幅よりも小さくてもよい）。付加的な情報伝達パターン３１ｂが存在すれば、それらは情報伝達パターン３１ａと統一のガードバンドを有することは留意されておくべき点である。
【００７７】
付加的に又は代わりに、夫々のデータパターンは、夫々のパターンの始点及び終点に利用されていない搬送波を有するガードバンドを含む。代わりに、いくつかの適用では、周波数方向に夫々のフレームで最初のデータパターン、図１０及び１３の例でいうデータパターン３２、３２’、３２’’、３２’’’、３２’’’’のみが、データパターンの始点のみでガードバンドを含むことができ、周波数方向に夫々のフレームで最後のデータパターン、図１０及び１３の例でいうデータパターン３７、３７’、３７’’、３７’’’、３７’’’’のみが、データパターンの終点のみでガードバンドを含むことができる。本実施形態において、データパターンのガードバンドの長さは、例えば、情報伝達パターンがガードバンドを含めば、情報伝達パターンのガードバンドの長さと同じである。
【００７８】
上述したように、情報伝達パターン３１、３１ａ、及び／又は３１ｂ（又は、本発明に係る他の情報伝達パターン）に含まれる情報伝達データは物理層情報を含み、それによれば、本発明に係る受信装置６３が、フレーム構造についての情報を取得することができ、要求されるデータパターンを復号化することができる。無数の例によれば、情報伝達データは、全体の送信帯域幅のようなパラメータ、フレーム内の夫々の情報伝達パターンの位置、情報伝達パターンに対するガード帯域幅のガードバンドの長さ、特別なフレームを構築するフレームの数、特別なフレーム内の現在のフレームの数、全体のフレームの帯域幅の周波数方向での付加的なデータパターンの数、及び／又は、夫々のフレームのデータパターンに対する個々の情報伝達データについての情報を含むことができる。本実施形態において、フレーム内の夫々の情報伝達パターンの位置は、例えば、全体の帯域幅のセグメント化に関連して、情報伝達パターンの状態を表示することができる。例えば、図４の場合に、情報伝達データは、情報伝達パターンが第１のセグメント（例えば、第１の８ＭＨｚのセグメント）、又は第２のセグメントに位置しているならその表示を含む。例えば、図７に関して説明されているように、情報伝達パターンが帯域幅のセグメント化の半分の長さを有する場合に、夫々の組み合わせの隣接する情報伝達パターンは、同じ位置情報を有する。いずれのケースでも、受信装置は、この位置情報を有する、続いて起こるフレームで要求される周波数バンドにチューニングすることができる。個々の情報伝達データは、フレームに存在する夫々のデータパターンに対して個々に提供される分離したブロックのデータであり、第１の周波数搬送波、データパターンに配置される周波数搬送波の数、データパターンのために利用される変調、データパターンにために利用される誤り保護コード、データパターンのための時間インターリーバーの利用、データパターンの周波数のノッチの数（データパターンのデータ送信のために利用されない周波数搬送波）、周波数のノッチの状態、及び／又は周波数のノッチの幅のようなパラメータを含んでいてもよい。送信装置５４の変換手段６０は、夫々の情報伝達パターンの周波数搬送波上に対応する情報伝達データをマッピングするように構成される。受信装置６３の評価手段７３は、受信される情報伝達データを評価して、受信装置６３内で更に処理するための情報伝達データに含まれる情報を利用及び転送するように構成される。
【００７９】
情報伝達データが、フレームに存在する夫々のデータパターンに対する記述された個々の情報伝達情報を含む場合に、情報伝達パターンのサイズを最大のサイズに限定するために、情報伝達パターンの構造はフレーム毎の周波数方向の最も限定される数のデータパターンを支持する。このように、夫々のフレームの周波数方向でのデータパターンの数は、同時に且つ柔軟に変更されるが、これは、あるデータパターンの最大数内でのみあてはまる。上述したように、夫々のフレームの時間方向での付加的なデータパターンは、夫々、先に起こるデータパターンで調節される。このように、夫々の付加的な後に続くデータパターンは、先に起こるデータパターンと同じ状態、長さ、変調等を有するので、先に起こるデータパターンに対する情報伝達パターンは、後に続くデータパターンに対しても有効である。本実施形態において、夫々のフレームの時間方向での付加的なデータパターンの数は、固定されるか柔軟であり、この情報も情報伝達データに含まれる。同様に、情報伝達パターンの構造は、夫々のデータパターンの最も限定される数の周波数のノッチのみを支持することができる。
【００８０】
代わりに又は付加的に、情報伝達パターン３１のパートが、受信装置６３に受信可能ではないかもしれないという問題を克服するために、送信装置５４は、選択的に、ある種の誤りコーディング、繰り返しコーディングのような冗長、周期的な冗長コーディング、又はフレーム形成手段５９による情報伝達パターンに配列される情報伝達データのようなもの等を付加するように構成される誤りコーディング手段５６を含むことができる。受信装置６３は、例えば、再構築手段７１によって、元の情報伝達パターンを再構築するためのある種の誤り検出及び／又は訂正を実行することができるので、付加的な誤りコーディングは、送信装置５４が、図４に示されるように、トレーニングパターン３０と同じ長さの情報伝達パターン３１を利用することを可能にする。
【００８１】
４ＭＨｚの長さを有し、ＯＦＤＭシステムで８ＭＨｚのセグメントに調節される情報伝達パターンの説明された例として、以下に情報伝達構造の特別の（限定されない）例が記述される。
【００８２】
ＯＦＤＭシンボルの４４８μｓの継続時間に対して、夫々の４ＭＨｚのブロックは１７９２のＯＦＤＭ副搬送波によって構築される。周波数領域パイロットが、情報伝達シンボル内で全ての７番目のＯＦＤＭ搬送波で利用されれば、１５３６のＯＦＤＭ搬送波は、夫々の情報伝達ＯＦＤＭシンボル内でのＬ１情報伝達データの送信の間残存する。
【００８３】
これらのＯＦＤＭ搬送波は、例えば、１６のＱＡＭによって変調されてもよく、結果として、粗雑なＬ１情報伝達内で送信可能な６１４４のビットをもたらす。送信可能なビットのパートは、誤り訂正の目的のために、例えば、ＬＤＰＣ又はリードソロモンコードのために利用される必要がある。次いで、残存する正味のビットは、例えば、以下の表で説明されるように情報伝達のために利用される。
【００８４】
【表１】
2010045788.tif 000003
【００８５】
以下に、上の表に記載された情報伝達データのパラメータについて、より詳細に説明する。
【００８６】
・ＧＩの長さ（ＧＩ  Ｌｅｎｇｔｈ）：利用されるガードインターバルの長さを定義する。
・フレーム数（Ｆｒａｍｅ  Ｎｕｍｂｅｒ）：増加した全てのフレーム、すなわち、夫々の情報伝達シンボルの計算器。
・全ての帯域幅（Ｔｏｔａｌ  ｂａｎｄｗｉｄｔｈ）：利用されるチャネルの完全な送信帯域幅。
・データスライスの全ての数（Ｔｏｔａｌ  ｎｕｍｂｅｒ  ｏｆ  ｄａｔａ  ｓｌｉｃｅｓ）：このパラメータが、データスライス、すなわち、利用されるチャネルでのデータパターンの全ての数だけ情報伝達する。
・Ｌ１副情報伝達テーブル数（Ｌ１  ｓｕｂ−ｓｉｇｎａｌｌｉｎｇ  ｔａｂｌｅ  ｎｕｍｂｅｒ）：情報伝達データ内の副情報伝達テーブル数。
・ｓｕｂ−ｔａｂｌｅｄ  データスライスの数（Ｎｕｍｂｅｒ  ｏｆ  ｓｕｂ−ｔａｂｌｅｄ  ｄａｔａ  ｓｌｉｃｅｓ）：Ｌ１情報伝達テーブル内で譲歩伝達されるデータスライスの数。
・データスライスの数（Ｄａｔａ  ｓｌｉｃｅ  ｎｕｍｂｅｒ）：現在のデータスライスの数。
・副搬送波周波数の開始（Ｓｔａｒｔ  ｓｕｂｃａｒｒｉｅｒ  ｆｒｅｑｕｅｎｃｙ）：データスライスの周波数の開始。
・スライス当たりの副搬送波の数（Ｎｕｍｂｅｒ  ｏｆ  ｓｕｂｃａｒｒｉｅｒｓ  ｐｅｒ  ｓｌｉｃｅ）：データスライス当たりの副搬送波の数。
・時間インターリーバーの深さ（Ｔｉｍｅ  Ｉｎｔｅｒｌｅａｖｅｒ  ｄｅｐｔｈ）：現在のデータスライスでの時間がインターリーブする深さ。
・ＰＳＩ／ＳＩ再処理（ＰＳＩ／ＳＩ  ｒｅｐｒｏｃｅｓｓｉｎｇ）：ＰＳＩ／ＳＩ再処理が現在のデータスライスのために送信部で実行されるかどうかについて情報伝達する。
・ノッチの数（Ｎｕｍｂｅｒ  ｏｆ  ｎｏｔｃｈｅｓ）：現在のデータスライスでのノッチの数。
・スライスの開始と比較したノッチの開始（Ｓｔａｒｔ  ｏｆ  ｎｏｔｃｈ  ｒｅｌａｔｉｖｅ  ｔｏ  ｓｔａｒｔ  ｏｆ  ｓｌｉｃｅ）：データスライスの開始周波数に関連したデータスライスでのノッチの開始状態。
・ノッチの幅（Ｎｏｔｃｈ  ｗｉｄｔｈ）：ノッチの幅。
・蓄えられるビット（Ｒｅｓｅｒｖｅｄ  ｂｉｔｓ）：将来の利用のために蓄えられるビット。
・ＣＲＣ＿３２：Ｌ１情報伝達ブロックに対する３２ビットＣＲＣのコーディング。
【００８７】
受信装置６３で情報伝達パターンの受信をより確実なものとするために、本発明は、受信装置６３のチューニング状態を最適化することを更に提案する。図４及び７に示される例では、受信部は、受信されるデータパターンの周波数帯域幅周囲のパート３８を中央に配置することによって、送信帯域幅のパート３８に調整される。代わりに、要求されるデータパターンがまだ十分に受信されている間に情報伝達パターン３１の最大のパートが受信されるように、受信装置６３は調整されて、情報伝達パターン３１の受信がパート３８を配置することによって最適化される。代わりに、本発明は、夫々のデータパターンの長さが、ある割合、例えば、１０％以上、夫々の情報伝達パターン３１の長さと異なるべきではないことを提案する。この解決のための例は、図８に示される。データパターン４２、４３、４４、及び４５の間のボーダーは、ある割合、例えば、１０％（１０％に限られない）以上、（周波数方向に）情報伝達パターン３１間のボーダーからずれない。この小さい割合は、情報伝達パターン３１で上述した付加的な誤り訂正コーディングによって訂正されうる。
【００８８】
図１３は、本発明に係るフレーム４７の例の時間領域の説明を示す。送信装置５４では、フレームパターンまたは構造がフレーム形成手段５９で生成された後、周波数領域フレームパターンが、周波数から時間への変換手段６０によって時間領域に変換される。結果として生じる時間領域フレームの例が図１３に示され、夫々がガードインターバル５３とは分離されるガードインターバル４９、情報伝達シンボル５０、更にガードインターバル５１、及び多数のデータシンボル５２を含む。単一の情報伝達シンボルのみが時間領域に存在するという状況が、図４に示される例に対応して、情報伝達パターンを有する単一のタイムスロットのみが周波数領域のフレーム構造に存在している一方で、情報伝達パターン３１ａ及び３１ｂを有する２つのタイムスロットについての図７の例は、時間領域内の、実質的にガードインターバルとは分離される２つの情報伝達パターンの存在を導いている。ガードインターバルは、例えば、夫々のシンボルの有用なパートの周期的な拡張になりうる。ＯＦＤＭ方式の例では、実質的に提供されるガードバンドを含む情報伝達シンボル及びデータシンボルは、夫々、１つのＯＦＤＭシンボルの長さを有することができる。次いで、例えば、要求される送信周波数に信号を変換することによって、時間領域のフレームは、利用されるマルチ搬送システムに依存する時間領域信号を処理する送信装置６１に転送される。次いで、送信信号は、アンテナ等のように有線インターフェース又は無線インターフェースである送信インターフェース６２を経由して送信される。
【００８９】
図１３は、更に、夫々のフレームの数がスーパーフレームと組み合されうることを示す。スーパーフレーム毎のフレームの数、すなわち、時間方向の夫々のスーパーフレームの長さは、固定されるか多様なものとなりうる。従って、スーパーフレームが同時にセットされる最大の長さが存在してもよい。更に、スーパーフレームの夫々のフレームに対する情報伝達パターンの情報伝達データが同じであれば、及び情報伝達データでの変化のみがスーパーフレーム間で起こるのであれば、有利である。すなわち、変調、コード化、データパターンの数等は、スーパーフレームの夫々のフレームで同じとなるが、続いて起こるスーパーフレームで異なりうる。例えば、放送方式では、情報伝達データは大抵変わらないので、スーパーフレームの長さはより長くなることができ、双方向システムでは、送信及び受信パラメータの最適化は、受信部から送信部へのフィードバックに基づいて行われるので、スーパーフレームの長さはより短くなることができる。
【００９０】
送信装置５４の要素及び機能、図１４で示されるブロックダイアグラムについては、既に上述されている。実際の実行は、夫々の方式で、送信装置の実際の操作のために必要な付加的な要素及び機能を含むことは理解されておくべきことである。図１４では、本発明の説明及び理解のために必要な要素及び手段のみが示される。同じことが、受信装置６３、図１５で示されるブロックダイアグラムにも当てはまる。図１５は、本発明の説明及び理解のために必要な要素及び手段のみが示される。付加的な要素が、受信装置６３の実際の操作のために必要となる。更に、送信装置５４及び受信装置６３の要素及び機能は、本発明によって記載された機能を実行するように構成されるあらゆるデバイス、装置、システム等で実行されうることは、理解されておくべきである。
【００９１】
本発明は、更にフレーム構造（と、対応して適用される送信及び受信装置と、上述した方法と）に向けられ、上述した実施形態の代わりとして、それらは多数（２又はそれ以上）のデータパターンを有し、少なくとも１つのデータパターンの長さは他のデータパターンの長さとは異なる。様々な長さを有するデータパターンのこの構造は、統一の長さ及び上述したような（統一の又はほとんど統一された）コンテンツを有する情報伝達パターンの配列、又は少なくとも１つの情報伝達パターンが他の情報伝達パターンとは異なる長さ及び／又はコンテンツ、すなわち、多様な情報伝達パターンの長さを有する情報伝達パターンの配列のいずれかに組み合わされる。両方のケースで、受信装置６３は多様なデータパターンの長さについての情報を必要として、それらは、独立した情報伝達データチャネルによって、又は上述したフレーム構造に含まれる情報伝達データパターンに含まれる情報伝達データによって、送信される。後者の場合、夫々のフレームで最初の情報伝達パターンが随時同じ長さを有し、最初の情報伝達パターンを全ての又は必要なフレームで受信することにより、受信装置が多様なデータパターンについての情報を取得することが可能であれば、実行可能となってもよい。当然、他の実行が可能となってもよい。他の方法として、データパターン、情報伝達パターン、送信装置５４及び受信装置６３での実行に関連した上述の停止は、更に適用可能である。
【００９２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９３】
１          送信帯域幅
２          パート
３          受信装置
４          チューナー
５          処理手段
５４        送信装置
５５        調整手段
５６        調整手段
５８        データマッピング手段
５９        フレーム形成手段
６０        変換手段
６１        送信手段
６２        送信インターフェース
６３        受信装置
６４        受信インターフェース
６５        受信手段
６６        時間同期手段
６７        周波数オフセット検出手段
６８        時間から周波数への変換手段
６９        チャネル推定手段
７１        再構築手段
７２        デマッピング手段
７３        評価手段
７５        復調手段
７６        相関手段
【図１】
2010045788.tif 000004
【図２】
2010045788.tif 000005
【図３】
2010045788.tif 000006
【図４】
2010045788.tif 000007
【図５】
2010045788.tif 000008
【図６】
2010045788.tif 000009
【図７】
2010045788.tif 000010
【図８】
2010045788.tif 000011
【図９】
2010045788.tif 000012
【図１０】
2010045788.tif 000013
【図１１】
2010045788.tif 000014
【図１２】
2010045788.tif 000015
【図１３】
2010045788.tif 000016
【図１４】
2010045788.tif 000017
【図１５】
2010045788.tif 000018